(57)【要約】【課題】  従来品は、ベルト通し環に胴ベルトを挿通するタイプであったので、移動ロープ連結器・ペンチ差し・腰袋等の取付けの支障になっていた。また、既にユーザーが使用している胴ベルト型安全帯に、ハーネス型安全帯を取付ける場合は、使用中の安全帯からペンチ差し・腰袋を一度取外してしまう必要があった。【解決手段】  一対の連結環３によって身体上部を緊縛する上部ベルト１と、身体下部を緊縛する下部ベルト２とを連結する際に、上部ベルト１側に、連結環３で折り返し、その折り返し重合部にベルト固定環５を挿通配置したハーネス型安全帯において、その折り返し部に角環４を挿通すると共に、連結用ベルト６の一端をベルト固定環５に設け、該連結用ベルト６に面ファスナー７を設け、該連結用ベルト６と、角環４間に胴ベルト型安全帯の補助ベルトＡを配置し、該連結用ベルト６端部を角環４に挿通反転し、面ファスナー７で重合連結する方法である。【選択図】        図１
2005342308.tif 000002
【特許請求の範囲】
【請求項１】
一対の所定長ベルト１１を背部にて交差させ、交差部にはランヤード連結リング１２を設けると共に、肩部を越して胸前へ位置させるそれぞれのベルトの一端と、腰部両側に位置させる連結環３で折り返し、該折り返し重合部にベルト固定環５を挿通し、それぞれのベルトの他端とを胸前で連結する構成でなる上部ベルト１と、
同じく一端を腰部両側の連結環３に縫合した一対の所定長ベルト２１を股部に回し、他端部は上腿部を緊縛して、腰部の連結環３に別に縫工したバックル２３付きベルトに連結する構造の下部ベルト２とから成るハーネス型安全帯において、
上部ベルト１の折り返し重合部に角環４を挿通すると共に、連結用ベルト６の一端をベルト固定環５に設け、該連結用ベルト６に面ファスナー７を設け、該連結用ベルト６と、角環４間に胴ベルト型安全帯の補助ベルトＡを配置し、該連結用ベルト６端部を角環４に挿通反転し、面ファスナー７で重合連結する構造を特徴とする胴ベルト型安全帯とハーネス型安全帯の連結方法。
【発明の詳細な説明】
【技術分野】
【０００１】
本願は高所作業時の作業者が身体に装着し、墜落の防止を図る安全帯に関するものであり、特には腰部に巻回して装着する胴ベルト型安全帯を、より墜落時の衝撃荷重を緩衝して身体の損傷を防止するフルハーネス型安全帯に容易に変更可能な構造を有するハーネス型安全帯に係るものである。
【背景技術】
【０００２】
現在国内で使用されている安全帯はその大部分が胴ベルト型安全帯、つまり腰部に１本のベルトを巻回し、そのベルトに連結したロープの先端に結着したフックを構築物等に連結して万が一の墜落を防止する型のものである。
【０００３】
胴ベルト型安全帯は装着が容易で、軽量であり、また身体の束縛感も少なく、価格も安いため日本国内では普及しているが、欧米ではフルハーネス型が主流である。
フルハーネス型の安全帯は墜落阻止時の身体が受ける衝撃荷重を全身に分散することができるため、身体損傷の危険性が少ない。
よって、安全帯は全てこの型にすることが好ましいが、作業の性格とか経済的な問題などで現状では困難な状況にある。
またハーネス型の安全帯には胴ベルトがなく、身体上部を緊縛する上部ベルトと身体下部、つまり脚部を緊縛する下部ベルトが連続した、いわゆる落下傘ベルトの型が多く、大部分の作業で必要とされる種々の工具類の携帯が困難な問題があった。
工具類は胴ベルトに吊り下げて携帯するものである為、胴ベルトを排除した一般的なフルハーネス型の安全帯では課題が残るものであった。
【０００４】
よって、上記問題を解決するため、特願２００３−１２０３９７で開示したものがある。これは、図１０に示すように、上部ベルトと下部ベルトの連結環に胴ベルト挿通孔を配したもので、既にユーザーが使用している胴ベルト型安全帯の胴ベルトに挿通して、所期の目的を達成したものであった。
【特許文献１】特願２００３−１２０３９７
【発明の開示】
【発明が解決しようとする課題】
【０００５】
上記したように従来品の連結環は、胴ベルトの左右の腰の位置に取付けるため、ペンチ差し・腰袋等の取付けの支障になっている。なぜなら、左右の腰の位置は、ペンチ差し・腰袋等の取付けに最も作業性が良い位置でもあり、ハーネスの連結環の取付け位置と重なり取付けられないことがあった。
また、どちらかをずらして取付けたとしても不自由な姿勢でペンチ等の出し入れを行ったり、逆にハーネスベルトがしっくりと身体に装着できないことがあった。
特に、図９に示すような移動ロープ連結器Ｋへの墜落防止用移動ロープの金具の連結は、安全上目視しながら挿入連結する必要があり、その移動ロープ連結器Ｋの取付け位置は、胴ベルトの左右の腰の位置に取付けるものであり、従来のハーネス型安全帯の連結環の取付け位置と重なり取付けが不可能であった。
また、既にユーザーが使用している胴ベルト型安全帯に、ハーネス型安全帯を取付ける場合は、使用中の安全帯からペンチ差し・腰袋を取付けている胴ベルトを一度取外してしまう必要があった。
【課題を解決するための手段】
【０００６】
本願ではこれらの問題を解決すべく、現在使用している胴ベルト型安全帯を必要に応じてフルハーネス型安全帯に変更できるハーネス型安全帯の連結方法を開示するものである。
具体的には、一対の所定長ベルト１１を背部にて交差させ、交差部にはランヤード連結リング１２を設けると共に、肩部を越して胸前へ位置させるそれぞれのベルトの一端と、腰部両側に位置させる連結環３で折り返し、該折り返し重合部にベルト固定環５を挿通し、それぞれのベルトの他端とを胸前で連結する略Ｘ字形状の構成でなる上部ベルト１と、
同じく一端を腰部両側の連結環３に縫合した一対の所定長ベルト２１を股部に回し、他端部は上腿部を緊縛して、腰部の連結環３に別に縫工したバックル２３付きベルトに連結する構造の下部ベルト２とから成るハーネス型安全帯において、
上部ベルト１の折り返し重合部に角環４を挿通すると共に、連結用ベルト６の一端をベルト固定環５に設け、該連結用ベルト６に面ファスナー７を設け、該連結用ベルト６と、角環４間に胴ベルト型安全帯の補助ベルトＡを配置し、該連結用ベルト６端部を角環４に挿通反転し、面ファスナー７で重合連結する連結方法である。
【０００７】
以上の構成とすることにより、工具等を携帯する胴ベルトのみの安全帯に加えて身体の上下部を緊縛するフルハーネス安全帯への転換が可能となるものである。
また、従来品では、取付が不可能なタイプの胴ベルト型安全帯にも連結が可能となり安全性の高いフルハーネス型安全帯に変更することができる。
【発明の効果】
【０００８】
本願は、連結用ベルトによって胴ベルト型安全帯の胴ベルトではなく補助ベルトに巻き付け、面ファスナーで固定するものであるから、使用中の胴ベルト型安全帯への取付け取外しが容易である。また、従来品の連結の場合では、胴ベルトに挿通したペンチ差し・腰袋をいちいち外す必要があったが、本願はそのようなことはなく、補助ベルトに連結するものであるからペンチ差し・腰袋が挿通した状態でも脱着が容易であり、作業環境に素早く適合することが可能である。
また、これまで定位置作業用フルハーネス型安全帯の採用のネックになっていた、移動ロープ連結器の取付けに支承があった胴ベルト型安全帯にも取付けが可能となり、全ての胴ベルト型安全帯に連結することができる。
また、ハーネス型安全帯を取付けることにより、胴ベルト型安全帯が腰部の位置よりずり下がることが無くなり不快な思いをしなくて済むことも付随効果としてある。
【実施例】
【０００９】
本願の実施例を詳記すると、
本願は一対の連結環３によって身体上部を緊縛する上部ベルト１と身体下部を緊縛する下部ベルト２を連結したものである。
上部ベルト１は、一対の所定長ベルト１１を背部にて交差させ、交差部にはランヤード連結リング１２を設けると共に、肩部を越して胸前へ位置させるそれぞれのベルトの一端と、腰部両側に位置させる連結環３で折り返し、該折り返し重合部に角環４とベルト固定環５を挿通し、それぞれのベルトの他端とを胸前で連結する略Ｘ字形状の構成である。
下部ベルト２は、同じく一端を腰部両側の連結環３に縫合した一対の所定長ベルト２１を股部に回し、他端部は上腿部を緊縛して、腰部の連結環３に別に縫工したバックル２３付きベルトに連結する構造を採用する。
連結用ベルト６の一端をベルト固定環５に設け、該連結用ベルト６に面ファスナー７を設け、該連結用ベルト６と、角環４間に胴ベルト型安全帯の補助ベルトＡを配置し、該連結用ベルト６端部を角環４に挿通反転し、面ファスナー７で重合連結する連結方法である。
【００１０】
図１乃至図４に示すように、連結環３によって上部ベルト１と、下部ベルト２をそれぞれ分離構成し、上部ベルト１の一端に折返しバックル１３を設け、他端は連結環３に挿通後折り返し、その折り返し重合部に角環４とベルト固定環５を挿通配置し、折返しバックル１３へと挿通したものである。
また、上部ベルト１は、背部で交差させ、交差部にはランヤード連結リング１２を挿入し、該連結リング１２にベルトおよびショックアブソーバーから成る延長ベルト１４の一方を連結し、他方に副リング１５と面ファスナー１６を設け、該副リング１５を上部ベルト１の胸側に配置し、面ファスナー１６で上部ベルト１に仮固定するものである。
【００１１】
下部ベルト２は、連結環３に、一端にバックル２３を設けた短尺のベルトの他端を挿通して縫着連結し、一方の一端にバックル挿通板２２を設けた長尺のベルト２１の他端を挿通して縫着連結すると共に、補片ベルト２４によって、尻部側で橋絡したものである。
【００１２】
バックル２３とバックル挿通板２２の結合は、バックル挿通板２２をバックル２３に挿入するだけで連結できるワンタッチバックルというものである。
このバックルは、一動作によって嵌合することができるものであるが、取外す場合は、三方向の動作を同時に行わないと解除できない三重安全装置のバックルであり、先ず、バックル挿通板２２をバックル本体側に押し込み（一動作）、解除レバーを二方向より同時に押さえると（二動作）、バックル挿通板２２が解除できる安全性の高いものである。
【００１３】
前記の上部ベルト１および下部ベルト２には補片ベルト１７，２４によって縫着連結し、バラバラにならないようにしたものである。
又、番号８は、胸ベルトであり、樹脂製のバックルを設け、ワンタッチで嵌合できるものであり、上部ベルト１を橋絡し、ずり落ちを防止するものである。
【００１４】
図５乃至図７は、連結状態の図で、胴ベルト型安全帯の補助ベルトＡを角環４と連結用ベルト６との間に配置し、該連結用ベルト６端部を角環４に挿通反転し、面ファスナー７で重合連結したものである。よって、胴ベルトには、ペンチ差し・腰袋等を最適な位置に取り付けることが可能である。
【００１５】
図８は、従来取付けが不可能であった移動ロープ連結器Ｋ付き胴ベルト型安全帯の連結部分側面図で、胴ベルト型安全帯の補助ベルトＡを角環４と連結用ベルト６との間に配置し、該連結用ベルト６端部を角環４に挿通反転し、面ファスナー７で重合連結し、その上から移動ロープ連結器Ｋの裏側に設けた取付ベルトを巻き付け面ファスナーで連結したものであり、同位置上に取付けることができる。
【００１６】
移動ロープ連結器Ｋは、送電鉄塔組立時の安全のために開発された、無胴綱状態をシステム的に無くす「キーロック方式墜落防止システム工法」に使用する胴ベルト型安全帯に取付けるものであり、図８，９に示すように墜落防止用の移動ロープ先端に設けた金具を移動ロープ連結器Ｋに挿入し、他方の金具側へ回動することにより他方の金具を解除するとともに、挿入し回動した金具の施錠を行うもので、移動ロープを掛け換えながら鉄塔の昇降・作業を行うもので、どちらか一方に金具がロックされており、無胴綱状態が起こり得ないようにしたものである。
移動ロープ連結器Ｋの構造は、略シーソー状連結バーの両端部にピンが設けられているものであり、挿入口より金具を挿入し、連結バーの中央部を押すこと（金具を回動すること）により連結バーが傾くと共に、ピンが移動（突出）し、金具の嵌合孔にピンが嵌合し、ロックするものである。
【００１７】
本願を装着するには、つなぎ服を着るのと同じように、先ず下部ベルト２の輪部に足を入れる。そして同じく上部ベルト１を肩に掛け、両ベルト端を引張り調節する。そして胸ベルト８によって上部ベルト１を留めて肩よりの外れを防止するものである。また、胴ベルト型安全帯の補助ベルトＡを連結した場合は、下部ベルト２の輪部に足を入れた後、胴ベルトのバックルを嵌合し、腰部に取り付けてもよいし、上部ベルト１を装着した後でもよい。
外す時は、それぞれベルトのバックル金具を持って引き上げることによってベルトにゆとりができ容易に外すことができる。
【００１８】
本願によって、ハーネス型安全帯の特長である、墜落阻止時の人体への影響が小さく、救助までの姿勢も被災者に掛かる負担が小さいく、安全上は胴ベルト型安全帯よりも優れていること。また、胴ベルト型安全帯の特長である、定位置作業用として人体を支える機能やペンチ差し・腰袋の取付けができる作業性に優れている安全帯の連結が可能となり、幅広いニーズに応えることができる。
【図面の簡単な説明】
【００１９】
【図１】本願ハーネス型安全帯の正面図。
【図２】本願ハーネス型安全帯の側面図。
【図３】本願連結用ベルト部分の正面図。
【図４】本願連結用ベルト部分の背面図。
【図５】本願フルハーネス型安全帯の連結状態正面図。
【図６】本願フルハーネス型安全帯の連結部分正面図。
【図７】本願フルハーネス型安全帯の連結部分側面図。
【図８】移動ロープ連結器付き胴ベルト型安全帯の連結部分側面図。
【図９】移動ロープ連結器付き胴ベルトの一部正面図。
【図１０】従来品の連結部分正面図。
【符号の説明】
【００２０】
１    上部ベルト
２    下部ベルト
３    連結環
４    角環
５    ベルト固定環
６    連結用ベルト
７    面ファスナー
８    胸ベルト
11    ベルト
12    連結リング
13    折返しバックル
14    延長ベルト
15    副リング
16    面ファスナー
17    補片ベルト
21    ベルト
22    バックル挿入板
23    バックル
24    補片ベルト
Ａ    補助ベルト
Ｋ    移動ロープ連結器
【図１】
2005342308.tif 000003
【図２】
2005342308.tif 000004
【図３】
2005342308.tif 000005
【図４】
2005342308.tif 000006
【図５】
2005342308.tif 000007
【図６】
2005342308.tif 000008
【図７】
2005342308.tif 000009
【図８】
2005342308.tif 000010
【図９】
2005342308.tif 000011
【図１０】
2005342308.tif 000012